(57)【要約】【課題】  移動ガイドの設置位置を変更して二位置に切り換えながら、釣り操作を行うことができる釣り竿を提供する。【解決手段】  リールシート５と二つ以上の釣り糸ガイド４Ｂａ、４Ｂｂを備え、釣り糸ガイド４Ｂａ、４Ｂｂのうちのリールシート５に近い側に位置する元側釣り糸ガイド４Ｂｂを、竿先側に隣接する先側釣り糸ガイド４Ｂａに近接する方向に移動可能に構成し、元側釣り糸ガイド４Ｂｂを先側釣り糸ガイド４Ｂａより離間する第１操作位置と、先側釣り糸ガイド４Ｂａの竿元側に近接する第２操作位置とにおいて位置保持可能に構成してある。【選択図】    図１
2014103927.tif 000002
【特許請求の範囲】
【請求項１】
リールシートと二つ以上の釣り糸ガイドを備え、前記釣り糸ガイドのうちの前記リールシートに近い側に位置する元側釣り糸ガイドを、竿先側に隣接する先側釣り糸ガイドに近接する方向に移動可能に構成し、前記元側釣り糸ガイドを前記先側釣り糸ガイドより離間する第１操作位置と、前記先側釣り糸ガイドの竿元側に近接する第２操作位置とにおいて位置保持可能に構成してある釣り竿。
【請求項２】
リールシートと二つの釣り糸ガイドを元竿に備えるとともに釣り糸ガイドを装備する穂先竿を並継式に連結し、前記元竿の二つの釣り糸ガイドのうちの前記リールシートに近い側に位置する元側釣り糸ガイドを、竿先側に隣接する先側釣り糸ガイドに近接する方向に移動可能に構成し、前記元側釣り糸ガイドを前記先側釣り糸ガイドより離間する第１操作位置と、前記先側釣り糸ガイドの竿元側に近接する第２操作位置とにおいて位置保持可能に構成してある釣り竿。
【請求項３】
元側釣り糸ガイドにおける釣り糸挿通用の孔の孔径を、先側釣り糸ガイドにおける釣り糸挿通用の孔の孔径より大きく形成してある請求項１又は２記載の釣り竿。
【発明の詳細な説明】
【技術分野】
【０００１】
本発明は、リールシートと二つ以上の釣り糸ガイドを備えてある釣り竿に関する。
【背景技術】
【０００２】
釣り竿を構成する元竿等の竿体に装着される釣り糸ガイドは、竿体に固着される固定式のもの以外に、竿体の軸線に沿って竿体上を移動できる移動式のものがある。
移動式の釣り糸ガイド、つまり、移動ガイドとして、下記の公報に記載されているもののように、振出竿における穂先竿等に装着されるものがある（特許文献１）。
【先行技術文献】
【特許文献】
【０００３】
【特許文献１】特開２００６−２０４１３４号公報（図１、図８）
【発明の概要】
【発明が解決しようとする課題】
【０００４】
移動ガイドは、釣り操作時においては、穂先竿等の竿体の中間位置に定められた所定位置に保持されて、リールから繰り出される釣り糸を案内する機能を果たしている。
具体的には、次のような構成になっている。移動ガイド４５は、釣糸が挿通される円形のガイドリング７１と、ガイドリングを支持するガイドリング支持枠７２とを備えて構成される。ガイドリング支持枠７２には、竿杆に対して略平行に延出する足部７３が一体形成されており、この足部７３を、竿杆４０に装着される筒状部材８０に対して、固定用の糸（固定材）８１を巻回したり、固定用の樹脂テープを巻回等することで固定される。
【０００５】
筒状部材８０の内面テーパ８０Ｔを、装着位置の竿杆外周の外面テーパよりも大きく形成することで、竿杆外周面と面接触し難くなり、移動ガイドの場合、固着を防止して、竿杆収納時にスムーズに移動することが可能となる。
【０００６】
上記したような移動ガイドにおいては、釣り操作時に移動ガイドを保持する為に、筒状部材８０の内径を保持位置に対応する竿体の外径と一致する又は少し小さな径に構成してあるので、保持位置より離れた竿先側においては、移動ガイドは独立して位置保持されることはない。
従来公報の第８図で示すように、各竿体を元竿内に収納した際に、移動ガイドは各竿体の竿先側に移動して、固定ガイドに当接することによって、位置保持されることとなっている。
【０００７】
したがって、例えば、仕掛けを投げ入れる場合と、仕掛けを巻き上げてくる場合に、移動ガイド位置を変更して使用したいと考えても、いずれか一方でしか移動ガイドを使用できず、位置を変更して使用することはできなかった。
【０００８】
本発明の目的は、移動ガイドの設置位置を変更して二位置に切り換えながら、釣り操作を行うことができる釣り竿を提供する点にある。
【課題を解決するための手段】
【０００９】
〔構成〕
請求項１に係る発明の特徴構成は、リールシートと二つ以上の釣り糸ガイドを備え、前記釣り糸ガイドのうちの前記リールシートに近い側に位置する元側釣り糸ガイドを、竿先側に隣接する先側釣り糸ガイドに近接する方向に移動可能に構成し、前記元側釣り糸ガイドを前記先側釣り糸ガイドより離間する第１操作位置と、前記先側釣り糸ガイドの竿元側に近接する第２操作位置とにおいて位置保持可能に構成してある点にあり、その作用効果は次の通りである。
【００１０】
〔作用〕
移動ガイドとして設定するのは、リールシートに最も近い位置に位置する元側釣り糸ガイドである。この元側釣り糸ガイドを前記先側釣り糸ガイドより離間する第１操作位置と、前記先側釣り糸ガイドの竿元側に近接する第２操作位置とにおいて位置保持可能に構成する。
【００１１】
狙った深さに仕掛けを投入する場合には、元側釣り糸ガイドを先側釣り糸ガイドの直ぐ竿元側の第２操作位置に位置固定する。このような構成によって、第１操作位置に元側釣り糸ガイドを位置保持させる場合に比べて、元側釣り糸ガイドをリールから離れた位置に位置させることができる。
したがって、リールのスプールより螺旋状に繰り出される釣り糸に対して第１操作位置に位置する場合より急激に螺旋状の釣り糸をガイド挿通孔径に縮径させることがなく、十分距離を採って徐々にガイド挿通孔を通過できるだけの大きさに絞ることができるので、仕掛けが飛んで行くことに対する抵抗を抑制することができる。
【００１２】
一方、仕掛けを巻き上げる場合や、特に、ルアーをシャクって、誘いを掛ける場合には、元側釣り糸ガイドを、先側釣り糸ガイドとリールシートとの中間位置である第１操作位置に位置固定する。このような構成によって、各釣り糸ガイドを竿に沿って配置することができる。特に、竿を煽ってルアーをシャクリ上げる操作する場合に、竿が弧を描いて大きく曲りを生じるが、釣り糸ガイドが間隔を広く採って設置されている場合には、釣り糸は竿の曲りに追従せず、両釣り糸ガイドを最短距離に結ぶように直線状となり、そのことが仕掛けを引き上げることに繋がらない虞がある。
これに対して、各釣り糸ガイドを竿に沿って間隔短く配置することによって、竿の曲りに釣り糸が追従しやすくなって、ルアーの上下動を行い易くなり、誘い動作が効果あるものとなる。
【００１３】
〔効果〕
したがって、移動ガイドで有りながら、二つの操作位置において位置保持でき、釣り操作をより有効で趣意性の高い釣り竿を提供できるに至った。
【００１４】
〔構成〕
請求項２に係る発明の特徴構成は、リールシートと二つの釣り糸ガイドを元+竿に備えるとともに釣り糸ガイドを装備する穂先竿を並継式に連結し、前記元竿の二つの釣り糸ガイドのうちの前記リールシートに近い側に位置する元側釣り糸ガイドを、竿先側に隣接する先側釣り糸ガイドに近接する方向に移動可能に構成し、前記元側釣り糸ガイドを前記先側釣り糸ガイドより離間する第１操作位置と、前記先側釣り糸ガイドの竿元側に近接する第２操作位置とにおいて位置保持可能に構成してある点にあり、その作用効果は次の通りである。
【００１５】
〔作用効果〕
従来技術の振出竿のように、穂先竿に取り付けた釣り糸ガイドを移動ガイドに構成するのではなく、並継竿において、元竿に取付られた元側釣り糸ガイドを移動ガイドに構成するとともに、かつ、移動させた元側釣り糸ガイドを先側釣り糸ガイドに近接させる位置で位置保持可能に構成する。このことによって、遠くにある目標地点であっても素早く仕掛けを投入することができるとともに、巻き上げ操作や煽り操作等を迅速に行う状態を切り換えて使用することができる釣り竿を提供できた。
【００１６】
〔構成〕
請求項３に係る発明の特徴構成は、元側釣り糸ガイドにおける釣り糸挿通用の孔の孔径を、先側釣り糸ガイドにおける釣り糸挿通用の孔の孔径より大きく形成してある点にあり、その作用効果は次の通りである。
【００１７】
〔作用効果〕
元側釣り糸ガイドを先側釣り糸ガイドに近接させる第２操作位置において、元側釣り糸ガイドが竿体の径方向に位置ズレを生じた場合にも、元側釣り糸ガイドの釣り糸挿通用の孔と先側釣り糸ガイドの釣り糸挿通用の孔の開口部分が食い違うことが少なく、釣り糸が通過する際に釣り糸挿通用の孔の縁部等に当接する又は強く接触するといった干渉が抑制されて、抵抗少なく仕掛けを投げ出すことができる。
【図面の簡単な説明】
【００１８】
【図１】図１は、釣り糸ガイドを装着し、餌木による釣り操作を可能にする並継竿を示す側面図である。
【図２】図２は、元側釣り糸ガイドを先側釣り糸ガイドに近接する第２操作位置と離間する第１操作位置とに切り換える構成を示す縦断側面図である。
【図３】図３は、第２操作位置から、元側釣り糸ガイドを先側釣り糸ガイドから離間する第１操作位置に切り換える状態を示す縦断側面図である。
【図４】図４は、第２実施形態を示し、元竿に装着した釣り糸ガイドの別実施構造を示す縦断側面図である。
【図５】図５は、第３実施形態を示し、元竿に装着した釣り糸ガイドの別実施構造を示す縦断側面図である。
【図６】図６は、元竿に装着した釣り糸ガイドの別実施構造を示す縦断側面図である。
【発明を実施するための形態】
【００１９】
〔第１実施形態〕
図１、２に示すように、並継竿Ａは、竿先側竿体１と竿元側竿体２とを連結して構成してある。つまり、竿先側竿体１の元側端部の外周面を元側程縮径する逆テーパ面１ａに形成し、竿元側竿体２の竿先側開口端内の内周面を逆テーパ面に形成して、竿先側竿体１の元側端部を竿元側竿体２の竿先側開口端内に嵌合している。
並継竿Ａとして、連結される竿体の本数はこの二本に限定されるものではない。各竿体１，２には、釣り糸ガイド４が設けられ、かつ、竿元側竿体にはリールシート５及び握り部３を設け、餌木等のルアー６で釣りを楽しむ並継竿Ａを提示する。
【００２０】
並継竿Ａにおける竿先側竿体１、２等は次のように製作される。つまり、炭素繊維等の強化繊維を一方向に引き揃え、その引き揃え強化繊維群にエポキシ樹脂等の熱硬化性樹脂（又は熱可塑性樹脂）を含浸させて、プリプレグシートを形成する。このプリプレグシートを略台形状に裁断した複数のものをマンドレルに巻回し、複数のプリプレグシートを巻回して構成した竿素材をマンドレルに巻回した状態で炉に入れて焼成し、焼成後マンドレルを脱芯して円筒状の竿素材を取り出しその竿素材を所定長に裁断して、仕上加工を施し竿体とする。
【００２１】
プリプレグを構成する強化繊維としては、具体的には、炭素繊維以外にガラス繊維、アラミド繊維、アルミナ繊維等が使用でき、樹脂としては、エポキシ樹脂の他に、フェノール樹脂、ポリエステル樹脂等の熱硬化性樹脂やＰＶ（Ｅ）等の熱可塑性樹脂が使用できる。また、プリプレグとしては、強化繊維を編み込んだ織り物に樹脂を含浸させて構成したものであってもよい。
【００２２】
釣り糸ガイド４の構成について説明する。図１に示すように、釣り糸ガイド４は、竿先側竿体１に複数個の第１釣り糸ガイド４Ａを取付け、竿元側竿体２にも複数個の第２釣り糸ガイド４Ｂを取り付けて、構成してある。
【００２３】
第２釣り糸ガイド４Ｂにおける最もリールシート５に近い位置に取付られている第２元側釣り糸ガイド４Ｂｂは、第２先側釣り糸ガイド４Ｂａとリールシート５との中間に位置する第１操作位置と、竿先側に設けられている第２先側釣り糸ガイド４Ｂａに近接する方向に人為的に移動操作されて、第２先側釣り糸ガイド４Ｂａの直ぐ竿元側に近接して位置する第２操作位置とに切り換え可能な、移動ガイドとして構成してある。
【００２４】
次に、竿元側竿体２における第２先側釣り糸ガイド４Ｂａの取付構造について説明する。
第２先側釣り糸ガイド４Ｂａは、後記する第２元側釣り糸ガイド４Ｂｂとは異なり、竿元側竿体２に外嵌されるボスパイプ４ｂは装備していない。つまり、釣り糸挿通用孔（図示せず）を備えたリング状のガイド本体４ｃとガイド本体４ｃより竿体２に向けて延出される細長板状の脚部４ａとでなる。
【００２５】
図２，３に示すように、竿元側竿体２における釣り糸ガイド４の取付予定箇所に、パイプ体としてのステンレス等のベースパイプａを装着する。ベースパイプａは、釣り糸ガイド４の脚部４ａの前後長さを上回る軸線方向長さＬを有しており、円周方向の一箇所に、両端に亘る割り溝（図示せず）を設けている。ベースパイプａを所定位置に装着するには、割り溝を開き操作した状態で竿先側より嵌め込み、所定位置まで移動させて縮径させ装着する。
なお、ベースパイプａの外径Ｄは、後記する第２元側釣り糸ガイド４Ｂｂのボスパイプ４ｂの内径Ｄと同一又は略同一径に設定する。
【００２６】
ベースパイプａの上に第２先側釣り糸ガイド４Ｂａの脚部４ａを載置し、この脚部４ａの上面とベースパイプａとに亘って装着用の綿糸ｂを螺旋状に密巻きして、取付状態を固定する。
この装着用の綿糸ｂのうえから樹脂塗料を施して被覆し、綿糸ｂによる取付状態を固定する被覆層Ｅを構成する。
【００２７】
竿元側竿体２における第２元側釣り糸ガイド４Ｂｂの取付構造について説明する。
図２，３に示すように、竿元側竿体２における釣り糸ガイド４の取付予定箇所に嵌合装着可能な金属製のボスパイプ４ｂを設ける。ボスパイプ４ｂは、円筒形のものであり、割り溝は設けられてはいない。なお、ボスパイプ４ｂの内径Ｄは、第２操作位置に取付てあるベースパイプａの外径Ｄと同一又は略同一径に設定する。
【００２８】
ボスパイプ４ｂの上に第２元側釣り糸ガイド４Ｂｂの脚部４ａを載置し、この脚部４ａの上面とボスパイプ４ｂとに亘って装着用の綿糸ｂを螺旋状に密巻きして、ボスパイプ４ｂに一体的に脚部４ａを取付け、第２元側釣り糸ガイド４Ｂｂを構成する。
【００２９】
第２元側釣り糸ガイド４Ｂｂは、ボスパイプ４ｂとともに、第２先側釣り糸ガイド４Ｂａ側に向けて移動可能である。竿元側竿体２の外径は２〜３／１０００の勾配で徐々にリールシート取付側に向けて大径化する。その竿元側竿体２における第２先側釣り糸ガイド４Ｂａの固定位置とリールシート５との中間位置、つまり、第１操作位置において、第２元側釣り糸ガイド４Ｂｂを装着固定する。
【００３０】
第１操作位置には、竿元側竿体２の外径より大径Ｄの膨出部２ａが形成してあり、この膨出部２ａを、第２元側釣り糸ガイド４Ｂｂを位置保持する取付座に構成してある。つまり、第２元側釣り糸ガイド４Ｂｂのボスパイプ４ｂの内径を膨出部２ａの外径Ｄと同一又は略同一径に設定することによって、第２元側釣り糸ガイド４Ｂｂのボスパイプ４ｂを膨出部２ａに外嵌すると、第２元側釣り糸ガイド４Ｂｂが位置保持される。
なお、膨出部２ａの竿先側端面には、傾斜誘導面２ｂが形成してあり、第２元側釣り糸ガイド４Ｂｂのボスパイプ４ｂが膨出部２ａに乗り上がり易い構成を採っている。
この保持位置を第１操作位置と称する。
【００３１】
一方、第２先側釣り糸ガイド４Ｂａを取り付けているベースパイプａの元側部分の外径Ｄを、第２元側釣り糸ガイド４Ｂｂのボスパイプ４ｂの内径Ｄと同一又は略同一径に設定する。これによって、第２元側釣り糸ガイド４Ｂｂのボスパイプ４ｂは、第２先側釣り糸ガイド４Ｂａを取り付けているベースパイプａに外嵌され、第２元側釣り糸ガイド４Ｂｂは、図２で示すように、通常設置されている位置より竿先側に移動した位置で装着固定される。この固定位置を第２操作位置と称する。
【００３２】
以上のような第２元側釣り糸ガイド４Ｂｂの設置位置切り換えは、狙った深さに仕掛けを投入する場合には、第１図の仮想線及び第２図の実線で示すように、第２元側釣り糸ガイド４Ｂｂをベースパイプａに嵌合させて第２先側釣り糸ガイド４Ｂａの直ぐ竿元側の第２操作位置に位置固定する。このような構成によって、図示しないスピニングリールのスプールより螺旋状に繰り出される釣り糸を過度に縮径させることが少なく、仕掛けが飛んで行くことに対する抵抗を抑制することができる。
【００３３】
仕掛けを巻き上げる場合や、特に、ルアーをシャクってアオリイカ等に誘いを掛ける場合には、第１図の実線及び第３図の実線で示すように、釣り人が自身の手を第２元側釣り糸ガイド４Ｂｂに添えて、その第２元側釣り糸ガイド４Ｂｂを前記した竿元側竿体の中間位置に嵌合させて第２先側釣り糸ガイド４Ｂａから離間した第１操作位置に位置固定する。このような構成によって、特に、竿を煽ってルアーをシャクリ操作する場合に、竿の曲りに釣り糸が追従しやすくなって、ルアーの上下動を行い易くなり、アオリイカ等に対する誘い動作が効果あるものとなる。なお、図示していないが、第１操作位置と第２操作位置とで、第２元側釣り糸ガイド４Ｂｂの釣り糸ガイド孔を一致させるべく、目印が付けてある。
【００３４】
第２先側釣り糸ガイド４Ｂａには、釣り糸挿通用の孔４ｄ１、第２元側釣り糸ガイド４Ｂｂには、釣り糸挿通用の孔４ｄ２、が夫々形成されており、第２元側釣り糸ガイド４Ｂｂにおける、釣り糸挿通用の孔４ｄ２の孔径が、第２先側釣り糸ガイド４Ｂｂにおける、釣り糸挿通用の孔４ｄ１の孔径より大きく形成してある。
このような構成によって、第２元側釣り糸ガイド４Ｂｂを第２先側釣り糸ガイド４Ｂａに近接させる第２操作位置において、第２元側釣り糸ガイド４Ｂｂが竿体の径方向に位置ズレを生じた場合にも、第２元側釣り糸ガイド４Ｂｂの釣り糸挿通用の孔４ｄ２と第２先側釣り糸ガイド４Ｂｂの釣り糸挿通用の孔４ｄ１の開口部分が食い違うことが少なく、釣り糸が通過する際に釣り糸挿通用の孔４ｄ２、４ｄ１の縁部等に当接する又は強く接触するといった干渉が抑制されて、抵抗少なく仕掛けを投げ出すことができる。
【００３５】
〔第２実施形態〕
次に、竿元側竿体２における第２先側釣り糸ガイド４Ｂａの異なる取付構造について説明する。
前記したように、第１実施形態においては、竿元側竿体２における釣り糸ガイド４の取付予定箇所に、パイプ体としてのステンレス等のベースパイプａを装着する構成を採っていた。
この第２実施形態においては、そのベースパイプａを使用しない形態を採用する。
【００３６】
つまり、図４に示すように、第２先側釣り糸ガイド４Ｂａをリング状のガイド本体４ｃとガイド本体４ｃより竿体２に向けて延出される細長板状の脚部４ａとで形成し、その脚部４ａを竿元側竿体２の外周面に直接載置し、この脚部４ａの上面と竿元側竿体２の外周面とに亘って装着用の綿糸ｂを螺旋状に密巻きして、取付状態を固定する。
この装着用の綿糸ｂの上から樹脂塗料を施して被覆し、綿糸ｂによる取付状態を固定する被覆層Ｅを構成する。
【００３７】
そして、被覆層Ｅにおける脚部４ａより竿元側に位置する部分の外周面に研削加工等を施して、第２元側釣り糸ガイド４Ｂｂのボスパイプ４ｂの内径Ｄと同一又は略同一の外径Ｄに設定する。
これによって、図４の二点鎖線で示すように、第２元側釣り糸ガイド４Ｂｂのボスパイプ４ｂを前記被覆層Ｅに外嵌させることができ、その第２元側釣り糸ガイド４Ｂｂを第２先側釣り糸ガイド４Ｂａの直ぐ竿元側に近接させて位置させることができる。
【００３８】
〔第３実施形態〕
ここでは、図５に示すように、第２先側釣り糸ガイド４Ｂａ及び第２元側釣り糸ガイド４Ｂｂを、釣り糸挿通孔を形成したガイド本体４ｃと、ガイド本体４ｃから延出された脚部４ａと、脚部４ａを一体形成したボスパイプ４ｂとから形成する。
【００３９】
ボスパイプ４ｂを竿元側竿体２の竿先側所定位置に外嵌固定して、第２先側釣り糸ガイド４Ｂａを外嵌装着する。この場合は、嵌合だけで第２先側釣り糸ガイド４Ｂａを外嵌装着しているが、ボスパイプ４ｂの端部と竿元側竿体２の外周面との境界部位に樹脂等を塗り込んで接着固定を行ってもよい。
【００４０】
竿元側竿体２における第２先側釣り糸ガイド４Ｂａの取付位置より竿元側において、第２元側釣り糸ガイド４Ｂｂの第１操作位置での取付座が形成されている。
つまり、第１実施形態で示したように、第１操作位置には、竿元側竿体２の外径より大径Ｄの膨出部２ａが形成してあり、この膨出部２ａを第２元側釣り糸ガイド４Ｂｂを位置保持する取付座に構成してある。つまり、第２元側釣り糸ガイド４Ｂｂのボスパイプ４ｂの内径を膨出部２ａの外径Ｄと同一又は略同一径に設定することによって、第２元側釣り糸ガイド４Ｂｂのボスパイプ４ｂを膨出部２ａに外嵌すると、第２元側釣り糸ガイド４Ｂｂが第１操作位置で位置保持される。
【００４１】
なお、膨出部２ａの竿先側端面には、傾斜誘導面２ｂが形成してあり、第２元側釣り糸ガイド４Ｂｂのボスパイプ４ｂが膨出部２ａに乗り上がり易い構成を採っている。
このように、取付座が設けてあるので、第２元側釣り糸ガイド４Ｂｂは第１操作位置で嵌合固定されて位置保持されているが、図５の矢印で示すように、人為的操作力によって、第２先側釣り糸ガイド４Ｂａに近接する位置まで移動可能である。
【００４２】
第２操作位置としての、第２先側釣り糸ガイド４Ｂａのボスパイプ４ｂの外径Ｄは、元側釣り糸ガイド４Ｂｂのボスパイプ４ｂの内径Ｄと同一又は略同一径に設定されている。
したがって、二点鎖線で示すように、第２元側釣り糸ガイド４Ｂｂのボスパイプ４ｂを第２先側釣り糸ガイド４Ｂａのボスパイプ４ｂに外嵌させることによって、第２元側釣り糸ガイド４Ｂｂを第２操作位置で位置保持させることができる。
〔別実施形態〕
【００４３】
（１）  第２先側或いは元側釣り糸ガイド４Ｂａ、４Ｂｂの少なくとも一方の別実施構造について説明する。図６に示すように、第２先側釣り糸ガイド４Ｂａ及び第２元側釣り糸ガイド４Ｂｂを、釣り糸挿通孔を形成したガイド本体４ｃと、ガイド本体４ｃから延出された脚部４ａと、脚部４ａを一体形成したボスパイプ４ｂとから形成する。但し、脚部４ａは、竿先側に延出された先側脚部４ａａと竿尻側に延出された元側脚部４ａｂとでなっている。
また、脚部４ａとボスパイプ４ｂとは、溶接固定する。
図６の釣り糸ガイド４を第２先側釣り糸ガイド４Ｂａとして使用する場合には、二点鎖線で示すように、ボスパイプ４ｂを元側脚部４ａｂより更に元側に長く延出させて、その延出部分４ｂｃを第２元側釣り糸ガイド４Ｂｂのボスパイプ４ｂを外嵌できるだけの外径に設定する。
（２）  装着用糸ｂとしては、綿糸以外に麻等植物繊維の糸が使用可能である。
（３）  釣り糸ガイド４の釣り糸挿通用の孔に硬質性のガイドリングを装着してある場合には、前記した先側釣り糸ガイドの釣り糸挿通用の孔４ｄ１の孔径、及び、先側釣り糸ガイドの釣り糸挿通用の孔４ｄ１の孔径は、ガイドリングの孔径（内径）とする。
【産業上の利用可能性】
【００４４】
本発明は、餌木等のルアーを駆使して釣りを行う際に有効に機能する移動ガイドを備えている釣り竿に適用できる。
【符号の説明】
【００４５】
１          穂先竿
２          元竿
４Ｂａ      先側釣り糸ガイド（第２先側釣り糸ガイド）
４Ｂｂ      元側釣り糸ガイド（第２元側釣り糸ガイド）
４ｄ１            先側釣り糸ガイドの釣り糸挿通用の孔
４ｄ２            元側釣り糸ガイドの釣り糸挿通用の孔
５          リールシート
【図１】
2014103927.tif 000003
【図２】
2014103927.tif 000004
【図３】
2014103927.tif 000005
【図４】
2014103927.tif 000006
【図５】
2014103927.tif 000007
【図６】
2014103927.tif 000008